(57)【要約】【課題】  容易に座面の高さを変更することができ、また、高さ調整部材を、その紛失がない状態で格納できる高さ調節構造を備えた椅子を提供すること。【解決手段】  座面５と該座面５が分離できるように載架固定された脚部材１を備えた椅子において、少なくとも１枚のスペーサ14を、分離した座面５と脚部材１の間に挟持させるか、又は、前記脚部材１に保持させて、当該スペーサ14を前記座面５とともに脚部材１に固定するようにしたこと。【選択図】  図１
2008043581.tif 000002
【特許請求の範囲】
【請求項１】
座面と該座面が分離できるように載架固定された脚部材を備えた椅子において、少なくとも１枚のスペーサを、分離した座面と脚部材の間に挟持させるか、又は、前記脚部材に保持させて、当該スペーサを前記座面とともに脚部材に固定するようにしたことを特徴とする座面の高さ調整自在の椅子。
【請求項２】
座面が、背もたれ、又は、背もたれと肘かけを具備した請求項１の座面の高さ調整自在の椅子。
【請求項３】
座面は、座フレームとそのフレームに載せたクッション材とクッション材を覆う表皮材（着座面）から形成されたものか、又は、表皮材（着座面）を兼ねたクッション材を座フレームに載せたもの、若しくは、座フレームが着座面も兼ねるように形成したものである請求項1又は２の座面の高さ調整自在の椅子。
【請求項４】
座面と脚部材の固定は、脚部材のフレームと座面のフレームに貫通して通したボルトをナットに緊締することによりなされる請求項１〜３のいずれかの座面の高さ調整自在の椅子。
【発明の詳細な説明】
【技術分野】
【０００１】
本発明は座面の高さを、至って簡潔な仕組み、構造によって着席する人の体の大きさなどに適合するように調整できる椅子に関する。
【背景技術】
【０００２】
座面の高さを調整することを可能にした椅子は、例えばピアノ用椅子などにおいて既に提供されており公知である。しかし、この椅子は、金属製のリンク機構やネジ式リフトなどを不可欠とするため、構造が複雑になってコスト高になり易いほか、椅子全体の重量が嵩張ることとなって、例えば家庭のダイニング用の椅子に適用するには、不向きである。
【０００３】
このような点に鑑み、座面の高さを金属製の機構を用いることなく調整可能にした椅子が特許文献１や同２などにより提案されている。
【０００４】
上記文献１の椅子は、上下を反転して使用できるように形成した椅子フレームに、該フレームの上、下端からの距離を違えて二つの座面を取付けることにより、フレームの上、下を反転させると、高さが高いと低いで異なる座面の椅子として使用できるようにしたものである。
この椅子は、座面を２つ設けなければならない点で、構造が複雑かつ重量が嵩張り、またフレーム形態のデザイン性に自由度が少ないという難点がある。
【０００５】
一方、特許文献２の椅子は、スツールタイプの椅子であるが、座面の下に配置する脚を、ブロック積上げタイプ（或は、ブロック状脚部材の積層タイプ）により形成し、積上げるブロック数の増減によって座面の高さを調整するようにしたものである。
【０００６】
この椅子は、積上げブロックの数によって座面の高さを調節できる点で、特許文献１の椅子の難点を払拭できているが、脚に使用しないブロックが生じたとき、それをどこに収納しておくかなどの課題が残されている。
【０００７】
即ち、使用しない脚ブロックの収納場所が確定されていないため、ブロックが散逸し易く紛失する恐れが多いという難点がある。また、この座面は３本の積層した脚ブロックに支えられる構造であるが、高さ調整のための脚ブロックの増減は、各脚ごとに行う必要があって、著しい手間を要するという問題がある。さらに、この椅子は、座面を支える脚が脚ブロックのみの積上げ構造であるため、上下荷重に対する問題はないが、横荷重を受けたときの耐荷重性に難点がある。
【特許文献１】実開平６−５５４９号公報
【特許文献２】特開平７−２６５１７８号公報
【発明の開示】
【発明が解決しようとする課題】
【０００８】
そこで本発明では、至って簡潔な構造によって容易に座面の高さを変更することができ、また、高さ調整部材を、その紛失がない状態で格納できる高さ調節構造を備えた椅子を提供することを、その課題とする。
【課題を解決するための手段】
【０００９】
上記課題を解決することを目的としてなされた本発明椅子の構成は、座面と該座面が分離できるように載架固定された脚部材を備えた椅子において、少なくとも１枚のスペーサを、分離した座面と脚部材の間に挟持させるか、又は、前記脚部材に保持させて、当該スペーサを前記座面とともに脚部材に固定するようにしたことを特徴とするものである。
【００１０】
本発明椅子は、上記構成における座面が、背もたれ、又は、背もたれと肘かけを具備したものであってもよい。また、座面は、座フレームとそのフレームに載せたクッション材とクッション材を覆う表皮材（着座面）から形成されたものか、又は、表皮材（着座面）を兼ねたクッション材を座フレームに載せたもの、若しくは、座フレームが着座面も兼ねるように形成した座面であっても、本発明は適用できる。
【００１１】
本発明における座面と脚部材の固定は、脚部材のフレームと座面のフレームに貫通して通したボルトをナットに緊締することによりなされる。
【００１２】
また、本発明における座面と脚部材の間に挟持させるスペーサは、前記ボルト杆とナットに保持させて紛失しないようにすることができる。本発明椅子は、木製椅子に適用して最も好適であるが、木製に限られるものではなく、金属製やプラスチック製の椅子、或は、これらの材料を複合的に使用した椅子についても適用することができる。
【発明の効果】
【００１３】
本発明は、座面と該座面が分離できるように載架固定された脚部材を備えた椅子において、少なくとも１枚のスペーサを、分離した座面と脚部材の間に挟持させるか、又は、前記脚部材に保持させて、当該スペーサを前記座面とともに脚部材に固定するようにしたことにより、座面の高さを調整できる椅子にしたので、容易に座面の高さを変更することができ、また高さ調節用のスペーサを紛失することがない。
【発明を実施するための最良の形態】
【００１４】
次に、本発明の実施の形態例について、図を参照して説明する。
図１は本発明椅子の一例の縦断側面図、図２は図１の椅子において手前側（図２の下半側）を底面から見た平面図、図３は図１の椅子の右半側を背面の姿で表した正面図、図４は座面フレームの一例の平面図、図５はフレームの一例の平面図、図６はスペーサの一例の平面図、図７は図６のＡ−Ａ矢視断面図である。
【００１５】
図１〜図３において、１は脚部材で、図示した例では平面大略四角形の脚フレーム２と、脚フレーム２の略四隅から下方へ拡がるように延ばした４本の脚体３と、脚フレーム２の内部に前後方向（図１の左右方向）に架設した２本のサブフレーム４などを備えて形成されている。なお、2a，2bは枠フレーム２における前後フレーム部材、2cは枠フレーム２の四隅に配設した補強フレームである。
【００１６】
図１〜図３において、５は座面であり、図の例では、平面から見て大略口字状或は大略四角形の座面フレーム６と、該座面フレーム６に載せて設けたクッション材７と、このクッション材７を覆って包み込んだ着座面となる表皮材８とから形成されている。
なお、クッション材７を支持するため、前記座面フレーム６の開口には、テープ状の支持部材7aがクロス状に張設されている。また、座面フレーム６は枠フレーム２に載架できる大きさと形状を備えたものである。
【００１７】
上記座面５は、そのフレーム６の左右側に、肘かけ用の側面から見て大略口字状の肘フレーム９，10を備えている。両肘フレーム９，10は上部部材に肘パッド9a，10aを備えていると共に、両フレーム９，10の後部に背もたれ11を挟持する形で備えている。
【００１８】
上記の本発明椅子の構成部材において、脚部材１と座面５とは、図４，図５に例示する夫々の脚フレーム２におけるサブフレーム４と座面フレーム６の重合する部位4箇所貫通するボルト穴4aと6aを設け、４箇所の貫通したボルト穴4aと6aにボルト12をサブフレーム４側の穴4aの下面側から挿入し、座面フレーム６側のボルト穴6aに配置したナット13に当該ボルト12を螺合してそのナット13を呼込み緊締することにより、前記脚フレーム２と座面フレーム６とを結合一体化して標準高さの座面５を有する椅子に形成される。なお、12aはボルト12の摘子である。
【００１９】
本発明では、上記の標準高さの座面５の椅子において、当該座面５の高さを自由に調整することができるように、この椅子に次の構成を付与したので、この点について以下に説明する。
【００２０】
本発明では、座面５の高さを調整するため、当該座面５が載置されて固定される脚部材１との間に、図６，図７に示す構成のスペーサ14を、少なくとも１枚入れて、当該スペーサ14の厚さ分、座面５の高さを高くできるようにした。図１は２枚のスペーサ14が配置された例である。
【００２１】
即ち、このスペーサ14は、前記ボルト12によって座面５と脚部材１の間に挟持固定すると共に、スペーサとして使用しないときは、脚部材１おけるサブフレーム４の下面に、前記ボルト12によって緊締保持し、紛失を防ぐようにしたのである。
【００２２】
スペーサ14は、枠フレーム２の前後幅（長さ、図１，図２の左右方向）より少し長く、かつ、サブフレーム４の平面から見た上、下幅（図２参照）よりも十分に大きな幅を有する板状主材14aの前後部の対称な部位に、前記ボルト12が貫通するボルト穴14b，14bを設ける一方、前記ボルト穴14bに近い外側の部位の表、裏面にダボ14cとダボ穴14dを板状主材14aの上下幅に関し対称的に設けた構成を有する。なお、板状主材14aにおける左右側のダボ14cとダボ穴14dは、当該主材14aの中間点に関し対称な位置関係で設けられている。
【００２３】
スペーサ14の上記構成により、各スペーサ14同士は、そのダボ14cとダボ穴14dとが、重ねた状態の上下において、互に合致して嵌入できる関係にあるから、各スペーサ14には、ダボ14cが突出していても、積層すると板状主体14aの厚さを重ねた分の厚みにしかならず、また、この積層状態で、各スペーサ14のボルト穴14bは一致して積層体全体を貫通している。
【００２４】
一方、上記スペーサ14を挟持する脚フレーム２における前後のフレーム部材2a，2bには、ペーサ14のダボ14cとダボ穴14dに合致するダボ14eとダボ穴14fとが設けられ、また、座面フレーム６における前,後のフレーム部材6c，6dには、ダボ穴14fが設けられている。なお、フレーム部材2a，2bのダボ14eとダボ穴14fは、当該部材2a，2bの上面と下面とに分けて、図５の例では上面にダボ14eが、下面にダボ穴14fが設けられている。
【００２５】
上記のスペーサ14を、脚フレーム２におけるサブフレーム４と前後のフレーム部材2a，2bの上面と座面フレーム６における前後のフレーム部材6c，6dの間に配置するには、次の手順で行う。まず、スペーサ14の前後のダボ14cとダボ穴14dを下向きにして、スペーサ14の下面左側に位置したダボ穴14dを、脚フレーム２の前フレーム部材2aにおける左側（図５参照）のダボ14eに合せると共に、スペーサ14の下面右側に位置したダボ穴14dを、脚フレーム２の後フレーム部材2bにおける右側（図５参照）のダボ14eに合せて配置する。このスペーサ14の配置は、脚フレーム２の２本のサブフレーム４に対して行われる。
【００２６】
上記のようにして２つのスペーサ14が脚フレーム２の前後フレーム部材2a，2bの上に位置決め配置されると、スペーサ14の上面にある前後のダボ14c，14cに対して、座フレーム６における前後のフレーム部材6c，6dに設けたダボ穴14fを嵌入させることにより、２つのスペーサ14を介して座フレーム６を脚フレーム２に対して位置決め裁置する。
【００２７】
上記のスペーサ14と、このスペーサ14を介した脚部材１における脚フレーム２と、座面５の座面フレーム６とは、各部材に設けた夫々のボルト穴4a，14b，6aが同軸上で貫通した状態にあるから、この穴4a，14b，6aに対して、最下位のボルト穴4aからボルト12を挿入し、当該ボルト12をボルト穴6aに設けた埋設ナット13に螺合して緊締する。図示した例では、脚部材１と座面５とは、スペーサ14を介して４本のボルト、ナットによって緊締結合される。
【００２８】
上記のスペーサ14を介在させる場合において、そのスペーサ14は少なくとも１枚を設ければ良い。スペーサ14を何枚用いるかは、各スペーサ14の個々の厚さにもよるが、暑さが20mm前後のスペーサであれば３〜４枚程度を用いる。これによって座面５における着座面の高さがスペーサ14を全く用いない最低位の位置から20mmピッチで60〜80mmの間で高さ調節することができる。そして、介挿したスペーサ14は、座面５と脚部材１とを結合するボルト12によってこれらの座面と脚部材のフレームに一体的に結合されているので、椅子としての構造や強度は何ら損われない。
【００２９】
次に上記のようにして装着されたスペーサ14を取外して保管する場合について説明する。
まず、脚部材１と座面５を、両者の間にスペーサ14を介して緊締結合しているボルト12を緩める。ボルト12の緩め操作は、緊締操作のときと同じく摘子12aを掴んで、その摘子12aを締付け時とは逆方向に回転させて緩めを行う。
【００３０】
ボルト12が緩められてナット13から外れれば、そのボルト12を抜去する。各ボルト12の抜去によって、座面５、脚部材１、スペーサ14は、それぞれのダボがダボ穴に入った状態になっているから、座面５を持上げ、各スペーサ14を脚部材１のフレーム２から取外してしまう。
【００３１】
各スペーサ14を取外した状態で、脚フレーム２の上に座面５を裁置するが、その裁置の際、座フレーム６における前後フレーム部材6b，6cのダボ穴14fを、脚部材１のフレーム２における前後フレーム部材2a，2bの上面に突出させて設けているダボ14eに合せて入れることにより、座面５の脚フレーム２に対する位置決めを行う。
【００３２】
次に、取外したスペーサ14は、その上面のダボ14cを、脚フレーム２におけるサブフレーム４に当てがいつつ前後フレーム部材2a，2b下面のダボ穴14fに入れ、このスペーサ14に次のスペーサ14を重ねるという具合に、２枚以上のスペーサ14を積層する。スペーサ14の積層では、各スペーサ14の上面にダボ14cが位置し、下面はフラット（何もない）状態の向きで重なる。そして、重層したスペーサ14では、各ボルト穴14bが一致して貫通している。また、サブフレーム４の下面に積層されたスペーサ14のボルト穴14bとサブフレーム４のボルト穴14bも一致して貫通しているので、最下に位置したスペーサ14のボルト穴14bからボルト12を挿入する。
【００３３】
挿入されるボルト12には、サブフレーム４のボルト穴4aを通って座面５における前後フレーム部材6c，6dのボルト穴6aに入る。そこで、このボルト12を締込むと、当該ボルト12がナット13に螺合して、スペーサ14、サブフレーム４を一緒に座面フレーム６の前後フレーム部材6b，6cに緊締結合することになる。これによって、使用しないスペーサ14は、脚フレーム２におけるサブフレーム4の下面に、ボルト12によって固定されることになるから、およそ紛失のおそれはない。
【００３４】
以上の説明において、脚フレーム２におけるサブフレーム４は、座面５の前後方向に沿って設けたものであり、従って、スペーサ14は当該サブフレーム４に沿って積層配置する例として述べたが、本発明が適用できる脚フレーム２のサブフレーム４は、座面５の左右方向に沿って設けられたもの（図示せず）であってもよい。この場合、スペーサ14は、左右方向に設けたサブフレーム４に沿って積層配置されることとなる。
【００３５】
また、本発明では、脚フレーム２における四隅の補強フレーム2cにスペーサ14を配置することもできる。この場合、スペーサ14は、脚フレーム２における前後に位置した補強フレーム2c，2c、又は、左右に位置した補強フレーム2c，2cに、そのスペーサ14の両端部を載架する形態で配置することとなる。また、この場合における位置決め用のダボとダボ穴、並びに、ボルトの緊締位置は、これらを設けることができるスペースがある部位に設定すればよい。
【産業上の利用可能性】
【００３６】
本発明は以上の通りであって、少なくとも１枚のスペーサを、分離した座面と脚部材の間に挟持させるか、又は、前記脚部材に保持させて、当該スペーサを前記座面とともに脚部材に固定することによって、座面の高さを調整できるようにしたから、至って簡潔な構造によって容易に座面の高さを変更することができ、また、高さ調整部材を、その紛失がない状態で格納しておくことができる。
【図面の簡単な説明】
【００３７】
【図１】本発明椅子の一例の縦断側面図。
【図２】図１の椅子において手前側（図２の下半側）を底面の姿で表した平面図。
【図３】図１の椅子の右半側を背面の姿で表した正面図。
【図４】座面フレームの一例の平面図。
【図５】脚フレームの一例の平面図。
【図６】スペーサの一例の平面図。
【図７】図６のＡ−Ａ矢視断面図。
【符号の説明】
【００３８】
１          脚部材
２          脚フレーム
３          脚体
４          サブフレーム
５          座面
６          座面フレーム
７          クッション材
７a         テープ状支持部材
８          表皮材
９，１０    肘フレーム
9a、10a     肘パッド
１１        背もたれ
１２        ボルト
１３        ナット
１４        スペーサ
14a         板状主材
14b         ボルト穴
14c、14e    ダボ
14d、14f    ダボ穴
【図１】
2008043581.tif 000003
【図２】
2008043581.tif 000004
【図３】
2008043581.tif 000005
【図４】
2008043581.tif 000006
【図５】
2008043581.tif 000007
【図６】
2008043581.tif 000008
【図７】
2008043581.tif 000009